【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
透光性フルオロポリマ流量計を製造するための方法であって、
透光性特性を有する溶融したフルオロポリマプラスチックから複数の流量計コンポーネントを射出成形する段階であって、これら流量計コンポーネントの少なくとも二つがほぼ対となる管状端部を有し、流量計コンポーネントの一つがサイトチューブである段階と、
前記少なくとも二つの流量計コンポーネントの管状端部を、この管状端部から離間されていて管状端部と直接接触しないヒータで加熱する段階と、
前記少なくとも二つの流量計コンポーネントの対になる前記管状端部を、該管状端部が部分的に溶融している間に、接合する段階と、
前記管状部分がほぼ非溶融状態になるまで、接合された管状端部を保持して、少なくとも二つの流量計コンポーネントを一体化された流量計に接合する段階と、
を有する方法。
【請求項２】
前記射出成形する段階に続いて、前記少なくとも二つの流量計コンポーネントを高温でベーキングする段階を有する請求項１記載の方法。
【請求項３】
前記管状端部を加熱する段階が、約800°Fから約1200°Fの範囲の温度を有する熱源で行われる請求項１記載の方法。
【請求項４】
前記複数の透光性のフルオロポリマ流量計コンポーネントを射出成形する段階が、サイトチューブと、第１のフィッティングと、第２のフィッティングとを、一体に成形する段階を有する請求項１記載の方法。
【請求項５】
成形された複数のフルオロポリマコンポーネントから構成された流量計であって、
流体の流れを可能にするための第１の導管を有し、少なくとも一つの管状端部を有する透光性の第１のフルオロポリマフィッティングと、
流体の流れを可能にするためのチューブ導管を有し、少なくとも一つの管状端部を有する透光性のフルオロポリマサイトチューブと、
流体の流れを可能にするための第２の導管を有し、少なくとも一つの管状端部を有する透光性の第２のフルオロポリマフィッティングと、
を有し、前記サイトチューブが該サイトチューブ内部の流体の流れに感度を有するフロートアセンブリを有し、前記透光性のフルオロポリマサイトチューブの少なくとも一つの管状端部が、少なくとも一つの透光性のフルオロポリマフィッティングの少なくとも一つの管状端部と溶接接合部によって接合されて、第１の導管と、チューブ導管と、第２の導管とから、流量計の本体導管を形成し、前記溶接接合部は前記透光性のフルオロポリマサイトチューブと前記の少なくとも一つの管状端部との間にヒータを対向配置することによって形成される流量計。
【請求項６】
前記透光性のフルオロポリマサイトチューブが、該透光性のフルオロポリマサイトチューブ内部のほぼ中央に中間チャネルを有していて、チューブ導管がこの中間チャネルの中で細くなっている請求項５記載の流量計。
【請求項７】
前記フロートアセンブリが、
前記透光性のフルオロポリマサイトチューブ内部の流体の流れに感度を有する細長いフロートと、
前記チューブ導管の一端に配置されたストップと、
を有し、前記細長いフロートが中間チャネルの断面幅よりも断面が大きいフランジを有し、前記ストップが、フランジに当接するとフロートの長手方向の動きを制限する請求項６記載の流量計。
【請求項８】
前記フロートアセンブリが、球形フロートと、長手方向に整合したガイドロッドとを有し、このガイドロッドがチューブ導管内部に取り外し可能な状態で固定されており、球形フロートが、チューブ導管内の流体の流れに応じてガイドロッドに沿って長手方向に可動である請求項５記載の流量計。
【請求項９】
前記流体の流れと、第１及び第２の導管の少なくとも一方の内外への軸方向の動きとを計量するためのバルブデバイスが設けられ、このバルブデバイスが、
このバルブデバイスの軸方向の動きを可能にするバルブハンドルと、
前記少なくとも一つの導管の一部を貫いて延びていて、チューブ導管からこの少なくとも一つの導管の中への流体の流れを制御するバルブ部材と、
を有する請求項５記載の流量計。
【請求項１０】
前記バルブ部材がさらにネジ部を有していて、前記少なくとも一つの導管へネジで係合して、前記少なくとも一つの導管の内外へのバルブデバイスの軸方向の動きを可能にしている請求項９記載の流量計。
【請求項１１】
前記透光性のフルオロポリマサイトチューブが、流量計の中を流れる容積流量を表す印を有する請求項５記載の流量計。
【請求項１２】
前記透光性の第１のフルオロポリマフィッティグと、透光性のフルオロポリマサイトチューブと、透光性の第２のフルオロポリマフィッティングとの少なくとも一つが、成形されたペルフルオロアルコキシ樹脂から構成されている請求項５記載の流量計。
【請求項１３】
前記透光性の第１のフルオロポリマフィッティグと、透光性のフルオロポリマサイトチューブと、透光性の第２のフルオロポリマフィッティングとの各々が、成形されたペルフルオロアルコキシ樹脂から構成されている請求項５記載の流量計。
【請求項１４】
流体の流れを計測するための一体化されたフルオロポリマ流量計であって、
チューブ導管と、流体の流れに応じてこのチューブ導管の内部で移動可能なフロートデバイスとを有する管状のフルオロポリマサイトチューブと、
少なくとも一つの管状端部を有するフルオロポリマの第１のフィッティングと、
少なくとも一つの管状端部を有するフルオロポリマの第２のフィッティングと、
を有し、前記フロートがサイトチューブの中を流れる流量を目視可能に表示し、前記第１のフィッティングが流体を前記管状のフルオロポリマサイトチューブの中へ導き、前記第２のフィッティングが前記管状のフルオロポリマサイトチューブから流体を受容し、前記フルオロポリマフィッティングの管状端部の少なくとも一つが、該フルオロポリマフィッティングの管状端部の少なくとも一つと前記管状のフルオロポリマサイトチューブとの間にヒータを対向配置することによって形成される少なくとも一つの管状溶接部によって管状のフルオロポリマサイトチューブへ取り付けられているフルオロポリマ流量計。
【請求項１５】
前記少なくとも一つの管状溶接部が、第１の管状溶接部と、第２の管状溶接部とを有し、フルオロポリマの第１のフィッティングの管状端部が前記第１の管状溶接部によって管状のフルオロポリマサイトチューブの端部へ接合されており、フルオロポリマの第２のフィッティングの管状端部が第２の管状溶接部によって管状のフルオロポリマサイトチューブの他方の端部へ接合されていて、一体化されたフルオロポリマサイトチューブを形成している請求項１４記載のフルオロポリマ流量計。
【請求項１６】
前記管状のフルオロポリマサイトチューブが、チューブ導管の中心の近くにチューブ導管の直径よりも小さい中間チャネルを有する請求項１４記載のフルオロポリマ流量計。
【請求項１７】
前記フロートデバイスが、管状のフルオロポリマサイトチューブ内部におけるフロートの長手方向の動きを制限するためのフランジを有する細長いフロートであり、管状のフルオロポリマサイトチューブの中をほとんど流体が流れないときには前記フランジが中間チャネルへ着座している請求項１６記載のフルオロポリマ流量計。
【請求項１８】
前記フロートデバイスが球形フロートと、長手方向に整合したガイドロッドとを有し、このガイドロッドがチューブ導管の内部に取り外し可能な状態で固定されており、球形フロートが、チューブ導管の中を流体が流れるとガイドロッドに沿って長手方向に移動可能である請求項１４記載のフルオロポリマ流量計。
【請求項１９】
前記流体の流れと、第１及び第２のフルオロポリマフィッティングの少なくとも一方の内外への軸方向の動きとを計量するためのバルブデバイスが設けられ、このバルブデバイスが、
このバルブデバイスの軸方向の動きを容易にするバルブハンドルと、
前記少なくとも一つのフィッティングの一部を調節可動な形で延びていて、チューブ導管からこの少なくとも一つのフィッティングの中への流体の流れを制御するバルブ部材と、
を有する請求項１４記載の流量計。
【請求項２０】
前記管状のフルオロポリマサイトチューブが、流量計の中を流れる容積流量を表す印を有する請求項１４記載の流量計。
【請求項２１】
前記第１のフルオロポリマフィッティグと、管状のフルオロポリマサイトチューブと、第２のフルオロポリマフィッティングとの少なくとも一つが、成形されたペルフルオロアルコキシ樹脂から構成されている請求項１４記載の流量計。
【請求項２２】
前記第１のフルオロポリマフィッティグと、管状のフルオロポリマサイトチューブと、第２のフルオロポリマフィッティングとの各々が、成形されたペルフルオロアルコキシ樹脂から構成されている請求項１４記載の流量計。
【請求項２３】
流体の流れを計測するための透光性の流体流量計であって、
透光性のサイトチューブと、
透光性のサイトチューブの中を流れる流体の流れを計測可能とするフロートアセンブリと、
を有し、前記透光性のサイトチューブが、
この透光性のサイトチューブの中の流体の流れを可能とするために透光性のサイトチューブの長さにわたって延びる内部チューブ導管と、前記チューブ導管の中心近くに狭い流路を提供する中間チャネルと、前記チューブ導管の一方の端部近くに固定されたフロートストップと、
を有し、
前記フロートアセンブリが、チューブ導管の中を流体が流れるのに応じてチューブ導管及び中間チャネルの内部で長手方向に移動可能である細長いフロートを有し、この細長いフロートがフランジを有し、このフランジがフロートストップへ当接することによって細長いフロートの長手方向への前進を制限し、中間チャネルにフランジが着座することによって細長いフロートの長手方向の後退を制限する流量計。
【請求項２４】
前記サイトチューブが、フロートストップから離れた方のチューブ導管の端部に配置されたフロートガイドを有し、このフロートガイドが、細長いフロートの一部を受容するための受容穴を有して、チューブ導管内における細長いフロートの横方向の動きを制限する請求項２３記載の流量計。
【請求項２５】
前記フロートガイドが、このフロートガイドを介する流体の流れを可能にするためにフロートガイドの中を貫く少なくとも一つの流体穴を有する請求項２３記載の流量計。
【請求項２６】
前記フロートストップが長手方向に延びる突起部を有していて、チューブ導管の内部を細長いフロートが長手方向に前進するときフランジに当接してこれを受容する請求項２３記載の流量計。
【請求項２７】
前記フロートストップが、このフロートストップを介する流体の流れを容易にするためにフロートストップの中を貫く少なくとも一つの流体穴を有する請求項２３記載の流量計。
【請求項２８】
前記細長いフロートが、チューブ導管の中を流れる流体の流れに対する細長いフロートの感度を向上させるためのテーパ部を有し、このテーパ部は前記狭い中間チャネルを噛み込みなく動けるように寸法決めされており、テーパ部のテーパ断面がフランジに近づくにつれて増大する請求項２３記載の流量計。
【請求項２９】
前記透光性のサイトチューブが流量計の中を流れる容積流量を表す印を有する請求項２３記載の流量計。
【請求項３０】
透光性の一体化されたフルオロポリマ流量計を使用する方法であって、
透光性の一体化されたフルオロポリマ流量計の透光性の第１のフルオロポリマフィッティングへ流体源を連結する段階であって、透光性の第１のフルオロポリマフィッテングは透光性のフルオロポリマサイトチューブへ連通しかつこのフルオロポリマサイトチューブへ非接触式で熱溶接されている段階と、
透光性の一体化された流量計の透光性の第２のフルオロポリマフィッティングへ、流体受容デバイスを連結する段階であって、透光性の第２のフルオロポリマフィッテイングは透光性のフルオロポリマサイトチューブへ連通している段階と、
前記流体源から透光性の第１のフルオロポリマフィッティングの中へ流体を導く段階と、
前記透光性のフルオロポリマサイトチューブ内部におけるフロートデバイスの長手方向の動きを計量することによって、透光性の一体化された流量計の中を流れる流体を計測する段階と、
を有する方法。
【請求項３１】
前記フロートデバイスを計量する段階が、
透光性のフルオロポリマサイトチューブの外側から目視できる印に対して細長いフロートデバイスのフランジを観測することによって行われ、前記印が、透光性の一体化された流量計の中を流れる容積流量を表している請求項３０記載の方法。
【請求項３２】
前記フロートデバイスを目視で計量する段階が、
透光性のフルオロポリマサイトチューブの外側から目視できる印に対して球形フロートデバイスの一部を観測する段階を有し、前記印が、透光性の一体化された流量計の中を流れる容積流量を表している請求項３０記載の方法。
【請求項３３】
前記透光性の一体化された流量計の中を流れる流量を、バルブを回転して調節することによって制御する段階を有し、前記バルブが透光性の第２のフルオロポリマフィッティングと連通していて、透光性の第２のフルオロポリマフィッティングを通って透光性のフルオロポリマサイトチューブから流れる流体を選択的に調節するようになっている請求項３０記載の方法。
【請求項３４】
流体の流れを計測するための透光性の一体化されたフルオロポリマ流量計であって、
計測のための流体の流れを可能にするためにチューブ導管を有する透光性のフルオロポリマサイトチューブと、
透光性のフルオロポリマサイトチューブの中を流れる流量を計測して目視で表示するためにチューブ導管の中に設けられたフロート手段と、
前記チューブ導管と連通させるための少なくとも一つの透光性のフルオロポリマフィッティング手段と、
透光性の一体化された流量計の中を流れる流量を制御するために、前記少なくとも一つの透光性のフルオロポリマフィッティング手段と、回転可能な形で軸方向に連通するバルブ手段と、
を有し、前記少なくとも一つの透光性のフルオロポリマフィッティング手段が、前記透光性のフルオロポリマフィッティング手段の少なくとも一つと前記透光性のフルオロポリマサイトチューブとの間にヒータを対向配置することによって形成される溶接接合部によって透光性のフルオロポリマサイトチューブへ接合されている流量計。